(57)【要約】    【課題】電解槽の姿勢によっても、特に水平置きなどしても電解効率を損なうことのない電解水生成装置を提供すること。    【解決手段】陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、前記電極への通電量を制御する制御手段と、前記電解槽の設置姿勢を検出する姿勢検出手段と、を備え、前記制御手段は、前記姿勢検出手段の検出結果に応じて、前記電極への通電量を変化させる制御を実行することとした。【選択図】図３
2009254997.tif 000002
【特許請求の範囲】
【請求項１】
陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、
前記電極への通電量を制御する制御手段と、
前記電解槽の設置姿勢を検出する姿勢検出手段と、
を備え、
前記制御手段は、
前記姿勢検出手段の検出結果に応じて、前記電極への通電量を変化させる制御を実行することを特徴とする電解水生成装置。
【請求項２】
陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、
前記陽極室と前記陰極室とへの原水の流入量を、所定の比率で分配する流量調整弁と、
前記流量調整弁の動作制御を行う制御手段と、
前記電解槽の設置姿勢を検出する姿勢検出手段と、
を備え、
前記制御手段は、
前記姿勢検出手段の検出結果に応じて前記流量調整弁を制御し、前記陽極室と前記陰極室とへの原水分配比率を変化させることを特徴とする電解水生成装置。
【請求項３】
陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、
前記陽極室と前記陰極室とへの原水の流入量を、所定の比率で分配する流量調整弁と、
前記流量調整弁の動作制御と、前記電極への通電量とを制御する制御手段と、
前記電解槽の設置姿勢を検出する姿勢検出手段と、
を備え、
前記制御手段は、
前記姿勢検出手段の検出結果に応じて、前記電極への通電量の制御と、前記陽極室と前記陰極室とへの原水分配比率を変化させるための前記流量調整弁の制御とを実行することを特徴とする電解水生成装置。
【請求項４】
電極が配設され、流入した原水を電気分解してアルカリ性イオン水もしくは酸性イオン水を生成する第１の電極室と第２の電極室とが対向配置された電解槽と、
前記第１の電極室と前記第２の電極室とへの原水の流入量を、所定の比率で分配する流量調整弁と、
前記流量調整弁の動作制御を行う制御手段と、
前記電解槽の設置姿勢を検出する姿勢検出手段と、
を備え、
順電解により前記第１の電極室にアルカリ性イオン水を、前記第２の電極室に酸性イオン水を生成させる一方、逆電解により前記第１の電極室に酸性イオン水を、前記第２の電極室にアルカリ性イオン水を生成させることが可能であり、前記第１の電極室から吐出される水を取水可能とした電解水生成装置であって、
前記制御手段は、
電解槽の設置姿勢の検出結果と電解方向によって前記第１の電極室と前記第２の電極室とへの原水分配比率を変更することを特徴とする電解水生成装置。
【請求項５】
前記制御手段は、
前記電解槽の設置姿勢が縦置きでない時は、電解方向が順電解の場合は前記第１の電極室と前記第２の電極室への原水配分比率を１０：１以上とし、電解方向が逆電解の場合は前記第１の電極室と前記第２の電極室への原水配分比率を４：１以下とすることを特徴とする請求項４に記載の電解水生成装置。
【請求項６】
電極が配設され、流入した原水を電気分解してアルカリ性イオン水もしくは酸性イオン水を生成する第１の電極室と第２の電極室とが、立設状態を除く設置姿勢で対向配置された電解槽と、
前記第１の電極室と前記第２の電極室とへの原水の流入量を、所定の比率で分配する流量調整弁と、
前記流量調整弁の動作制御を行う制御手段と、
を備え、
電解により前記第１の電極室にアルカリ性イオン水を、前記第２の電極室に酸性イオン水を生成させ、逆電解により前記第１の電極室に酸性イオン水を、前記第２の電極室にアルカリ性イオン水を生成させることを可能とするとともに、前記第１の電極室から吐出される水を取水可能とした電解水生成装置であって、
前記制御手段は、
電解方向によって前記第１の電極室と前記第２の電極室とへの原水分配比率を変更することを特徴とする電解水生成装置。
【請求項７】
電極が配設され、流入した原水を電気分解してアルカリ性イオン水もしくは酸性イオン水を生成する第１の電極室と第２の電極室とが水平状態で対向配置された電解槽と、
前記第１の電極室と前記第２の電極室とへの原水の流入量を、所定の比率で分配する流量調整弁と、
前記流量調整弁の動作制御を行う制御手段と、
を備え、
電解により前記第１の電極室にアルカリ性イオン水を、前記第２の電極室に酸性イオン水を生成させ、逆電解により前記第１の電極室に酸性イオン水を、前記第２の電極室にアルカリ性イオン水を生成させることを可能とするとともに、前記第１の電極室から吐出される水を取水可能とした電解水生成装置であって、
前記制御手段は、
電解方向によって前記第１の電極室と前記第２の電極室とへの原水分配比率を変更することを特徴とする電解水生成装置。
【請求項８】
前記制御手段は、
電解方向が順電解の場合、前記第１の電極室と前記第２の電極室への原水配分比率を１０：１以上とし、電解方向が逆電解の場合は前記第１の電極室と前記第２の電極室への原水配分比率を４：１以下とすることを特徴とする請求項６又は７に記載の電解水生成装置。
【発明の詳細な説明】
【技術分野】
【０００１】
この発明は、水を電気分解してアルカリ性イオン水及び酸性イオン水を生成する電解槽を具備する電解水生成装置に関するものである。
【背景技術】
【０００２】
従来、健康に良いとされるアルカリ性イオン水をいつでも取水することが可能とした電解水生成装置としては、陰電極を配設してアルカリ性イオン水を生成する第１の電極室と、陽電極を配設して酸性イオン水を生成する第２の電極室とに隔膜を介して区画形成された電解槽を備え、両電極室に導水管を連通連結して原水を流入させ、各室に連通連結した取水管よりアルカリ性イオン水、酸性イオン水をそれぞれ連続的に取水可能としたものが一般的であるが、電極として陽極、陰極を固定することなく、電解方向を変えることで逆電解することにより、第１の電極室から酸性イオン水を、第２の電極室から酸性イオン水を取水可能としたものもよく知られている。
【０００３】
家庭用として普及している電解水生成装置は、通常、所定のケーシング内に、前述の電解槽の他に浄水装置を内蔵し、水栓が設けられたシンクの近傍に設置されるタイプとなっている。
【０００４】
ところが近年では、装置全体の小型化に伴い、例えば、シンク下の空間に配設されるタイプの電解水生成装置も提供されている（例えば、特許文献１を参照。）。
【０００５】
しかしながら、シンク下の空間には、例えば配管設備などが存在するとともに、台所用品などの収納空間として利用されることから、電解水生成装置の有効設置スペースは限られることが多く、そのため、電解水生成装置の取付姿勢については一様にならない場合が多い。
【０００６】
他方、電解水生成装置の小型化に伴い、台所事情に合わせて使用者自身が電解水生成装置の設置場所を決め、設置姿勢も比較的自由になる電解水生成装置も提案されている（例えば、特許文献２を参照。）。
【特許文献１】特開２００６−０５７２８１号公報
【特許文献２】特開２００４−１１４０３５号公報
【発明の開示】
【発明が解決しようとする課題】
【０００７】
ところが、電解槽の構成は、その内部において電解時に陰極側では水素ガスが発生するため、このガスを排出するために電解水流出口を電解槽の上端近傍に設け、電解槽を縦置きにすることを前提とした構造が一般的になっている。
【０００８】
したがって、例えば特許文献２に記載されているように、電解槽を横置きにしたり、あるいは水平置きにしたりすると、実際には、少流量時に水素ガスの排出が困難になりやすく、電解効率を損なうおそれがあった。
【０００９】
そこで、水素ガスを抜くための仕組みを電解槽に対して構造的に設けることも考えられるが、そうなると電解槽の構造が従来よりも著しく複雑になるおそれがあり、コストアップも避けられないと考えられる。
【００１０】
さらに、電解槽の設置向きと電解効率との関係を調べていくと、特に、電解方向を変えて逆電解し、アルカリ性イオン水に代えて酸性イオン水を取水管から取水しようとした場合に、電解効率が低下し、しかも、電解槽を立設した状態以外の場合は、甚だしく低下することが分かってきた。
【００１１】
このように、本願の発明者らは、電解槽の姿勢によって電解効率を損なうおそれがあるという課題を発見し、本発明では、その課題を解決することのできる電解水生成装置を提供することを目的としている。
【課題を解決するための手段】
【００１２】
（１）本発明では、陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、前記電極への通電量を制御する制御手段と、前記電解槽の設置姿勢を検出する姿勢検出手段と、を備え、前記制御手段は、前記姿勢検出手段の検出結果に応じて、前記電極への通電量を変化させる制御を実行する電解水生成装置とした。
【００１３】
（２）本発明では、陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、前記陽極室と前記陰極室とへの原水の流入量を、所定の比率で分配する流量調整弁と、前記流量調整弁の動作制御を行う制御手段と、前記電解槽の設置姿勢を検出する姿勢検出手段と、を備え、前記制御手段は、前記姿勢検出手段の検出結果に応じて前記流量調整弁を制御し、前記陽極室と前記陰極室とへの原水分配比率を変化させる電解水生成装置とした。
【００１４】
（３）本発明では、陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、前記陽極室と前記陰極室とへの原水の流入量を、所定の比率で分配する流量調整弁と、前記流量調整弁の動作制御と、前記電極への通電量とを制御する制御手段と、前記電解槽の設置姿勢を検出する姿勢検出手段と、を備え、前記制御手段は、前記姿勢検出手段の検出結果に応じて、前記電極への通電量の制御と、前記陽極室と前記陰極室とへの原水分配比率を変化させるための前記流量調整弁の制御とを実行することを特徴とする電解水生成装置とした。
【００１５】
（４）本発明は、電極が配設され、流入した原水を電気分解してアルカリ性イオン水もしくは酸性イオン水を生成する第１の電極室と第２の電極室とが対向配置された電解槽と、前記第１の電極室と前記第２の電極室とへの原水の流入量を、所定の比率で分配する流量調整弁と、前記流量調整弁の動作制御を行う制御手段と、前記電解槽の設置姿勢を検出する姿勢検出手段と、を備え、順電解により前記第１の電極室にアルカリ性イオン水を、前記第２の電極室に酸性イオン水を生成させる一方、逆電解により前記第１の電極室に酸性イオン水を、前記第２の電極室にアルカリ性イオン水を生成させることが可能であり、前記第１の電極室から吐出される水を取水可能とした電解水生成装置であって、前記制御手段は、電解槽の設置姿勢の検出結果と電解方向によって前記第１の電極室と前記第２の電極室とへの原水分配比率を変更することとした。
【００１６】
（５）本発明は、上記（４）の電解水生成装置において、前記制御手段は、前記電解槽の設置姿勢が縦置きでない時は、電解方向が順電解の場合は前記第１の電極室と前記第２の電極室への原水配分比率を１０：１以上とし、電解方向が逆電解の場合は前記第１の電極室と前記第２の電極室への原水配分比率を４：１以下とすることを特徴とする。
【００１７】
（６）本発明は、電極が配設され、流入した原水を電気分解してアルカリ性イオン水もしくは酸性イオン水を生成する第１の電極室と第２の電極室とが、立設状態を除く設置姿勢で対向配置された電解槽と、前記第１の電極室と前記第２の電極室とへの原水の流入量を、所定の比率で分配する流量調整弁と、前記流量調整弁の動作制御を行う制御手段と、を備え、電解により前記第１の電極室にアルカリ性イオン水を、前記第２の電極室に酸性イオン水を生成させ、逆電解により前記第１の電極室に酸性イオン水を、前記第２の電極室にアルカリ性イオン水を生成させることを可能とするとともに、前記第１の電極室から吐出される水を取水可能とした電解水生成装置であって、前記制御手段は、電解方向によって前記第１の電極室と前記第２の電極室とへの原水分配比率を変更することとした。
【００１８】
（７）本発明は、電極が配設され、流入した原水を電気分解してアルカリ性イオン水もしくは酸性イオン水を生成する第１の電極室と第２の電極室とが水平状態で対向配置された電解槽と、前記第１の電極室と前記第２の電極室とへの原水の流入量を、所定の比率で分配する流量調整弁と、前記流量調整弁の動作制御を行う制御手段と、を備え、電解により前記第１の電極室にアルカリ性イオン水を、前記第２の電極室に酸性イオン水を生成させ、逆電解により前記第１の電極室に酸性イオン水を、前記第２の電極室にアルカリ性イオン水を生成させることを可能とするとともに、前記第１の電極室から吐出される水を取水可能とした電解水生成装置であって、前記制御手段は、電解方向によって前記第１の電極室と前記第２の電極室とへの原水分配比率を変更することとした。
【００１９】
（８）本発明は、上記（６）又は（７）の電解水生成装置において、前記制御手段は、電解方向が順電解の場合、前記第１の電極室と前記第２の電極室への原水配分比率を１０：１以上とし、電解方向が逆電解の場合は前記第１の電極室と前記第２の電極室への原水配分比率を４：１以下とすることを特徴とする。
【発明の効果】
【００２０】
本発明によれば、設置される電解槽の姿勢に拘わらず、安定した電解能力を発揮できるため、電解槽をどのようにしても設置しても強アルカリ性イオン水や酸性イオン水の取水に支障をきたすおそれがない。
【発明を実施するための最良の形態】
【００２１】
本実施形態に係る電解水生成装置は、陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、前記電極への通電量を制御する制御手段と、前記電解槽の設置姿勢を検出する姿勢検出手段と、を備え、前記制御手段は、前記姿勢検出手段の検出結果に応じて、前記電極への通電量を変化させる制御を実行するようにしたものである。
【００２２】
電解槽は、薄型矩形形状であり、その長手方向の位置側に入水口を、その反対側に出水口が形成され、陰極板が配設された陰極室と陽極板が配設された陽極室との間はイオン交換膜により区画されている。
【００２３】
そして、電解槽には、その設置された姿勢を検出する姿勢検出手段として、姿勢検出センサが設けられている。
【００２４】
この姿勢検出センサで検出した信号が制御手段に入力され、制御手段は、その信号に基づいて電解槽の姿勢を判断するとともに、その姿勢に応じた電流値が電極に通電されるように制御している。なお、姿勢検出センサは、電解槽の姿勢を検出できるものであれば、必ずしも電解槽そのものに設けられる必要はなく、例えば、電解槽を内蔵する電解水生成装置のケーシングや、このケーシングに取り付けられる他の構成要素（例えば、制御基板など）に設けてもよい。
【００２５】
また、この姿勢検出センサは、姿勢を検出できるものであれば何を用いてもよく、周知の傾斜センサ、圧電セラミックジャイロ、モーションセンサなどを適宜採用してよい。
【００２６】
ところで、姿勢検出手段としては、その時々の姿勢を自動検出する上述のセンサタイプのものに限定する必要はない。例えば、出荷時に、縦置き用、横置き用、水平置き用などと設置タイプに応じて種別スイッチを切換えておき、その種別スイッチによって電解槽の姿勢を検出するものや、設置タイプに応じて所定の情報をメモリなどに記憶させておき、その情報を検出するタイプのものなども含む。なお、スイッチタイプのものであれば、使用者自身が設置時に電解槽の向きに応じて設定することも可能である。
【００２７】
また、制御手段は、基板上にＣＰＵ、ＲＯＭ、ＲＡＭなどを備えており、制御基板として電解水生成装置本体内に配設される。
【００２８】
電解槽において水を電気分解する際に、陰極室においては水素ガスが発生するため、出水口が電解槽の上部に位置している場合はともかくとして、配設場所の関係で電解槽の設置姿勢を変えた場合、水素ガスの排出が困難になり、電解効率を損なってしまう。これでは、例えばｐＨ１０以上の強アルカリ性のイオン水を取水しようとした場合に、所望するｐＨ値のイオン水が得られなくなるおそれがある。特に、シンク下の空間を有効利用しやすく、かつ設置しやすい姿勢である水平置きにすると、水素ガスの影響はより大きくなって、支障を来すおそれが増大してしまう。
【００２９】
そこで、姿勢検出手段が検出した電解槽の設置姿勢が縦置き（電解槽が立設された状態）以外の場合、制御手段は、電極への通電量を増加させて、水素ガス発生による電解効率低下を防止し、所望するｐＨ値が確保されたイオン水を取水できるようにしている。電解槽の設置姿勢が水平置きであった場合は、通電量の増加率も当然大きくなることになる。
【００３０】
かかる構成とすることで、市場から要望の高いシンク下の空間への電解水生成装置の設置自由度が高まる。
【００３１】
また、前記陽極室と前記陰極室とへの原水の流入量を、所定の比率で分配する流量調整弁を備えるとともに、この流量調整弁の動作制御を行う制御手段を備えた構成の電解水生成装置とした場合、前記制御手段は、前記姿勢検出手段の検出結果に応じて前記流量調整弁を制御し、前記陽極室と前記陰極室とへの原水分配比率を変化させることで、上述した構成と同様の効果を奏することが可能である。
【００３２】
すなわち、姿勢検出手段が検出した電解槽の設置姿勢が縦置き（電解槽が立設された状態）以外の場合、制御手段は、流量調整弁を制御して、陽極室への原水分配量を減らす一方、陰極室への原水分配量を増加させるように分配比率を変化さるのである。
【００３３】
通常、イオン水との用途としては、アルカリ性イオン水を飲用などに用いることが多いため、電解水生成装置は、アルカリ性イオン水が生成される陰極室への原水分配率を、酸性イオン水が生成される陽極室よりも大きくしている。例えば、陰極室への分配率：陽極室への分配率＝１２：１などとしている場合、これを４：１程度にするのである。
【００３４】
このように、陰極室と陽極室への原水分配率を変更し、陰極室における処理量を相対的に減じることで、水素ガスの発生量を抑制し、所望するｐＨ値が確保されたイオン水を取水できるようにしている。なお、当然ではあるが、この場合、時間当たりの取水量は縦置きに比べて減少する。
【００３５】
また、前記制御手段が、前記姿勢検出手段の検出結果に応じて、前記流量調整弁の動作制御と、前記電極への通電量とを共に制御可能とすることができる。
【００３６】
すなわち、陰極となる電極が配設され、流入した原水を電気分解してアルカリ性イオン水を生成する陰極室と、陽極となる電極が配設され、流入した原水を電気分解して酸性イオン水を生成する陽極室とが対向配置された電解槽と、前記陽極室と前記陰極室とへの原水の流入量を、所定の比率で分配する流量調整弁と、前記流量調整弁の動作制御と、前記電極への通電量とを制御する制御手段と、前記電解槽の設置姿勢を検出する姿勢検出手段と、を備え、前記制御手段は、前記姿勢検出手段の検出結果に応じて、前記電極への通電量の制御と、前記陽極室と前記陰極室とへの原水分配比率を変化させるための前記流量調整弁の制御とを実行する構成とすることができる。
【００３７】
かかる構成により、通電量と原水の分配比率とを適正な組み合わせとなるようにすることで、強アルカリ性のイオン水を取水するに最も不利である水平姿勢で電解槽を設置する場合であっても、取水量を大きく減少させることなく、ｐＨ１０以上の所望する強アルカリ性のイオン水の取水が可能となる。したがって、市場から要望の高いシンク下の空間への電解水生成装置の設置自由度が高まる。
【００３８】
また、電解方向を入れ替えて、アルカリ性イオン水、酸性イオン水のいずれかを選択的に取水可能とした電解水生成装置に本発明を適用した実施形態について説明する。
【００３９】
すなわち、電極が配設され、流入した原水を電気分解してアルカリ性イオン水もしくは酸性イオン水を生成する第１の電極室と第２の電極室とが対向配置された電解槽と、前記第１の電極室と前記第２の電極室とへの原水の流入量を、所定の比率で分配する流量調整弁と、前記流量調整弁の動作制御を行う制御手段と、前記電解槽の設置姿勢を検出する姿勢検出手段と、を備え、順電解により前記第１の電極室にアルカリ性イオン水を、前記第２の電極室に酸性イオン水を生成させる一方、逆電解により前記第１の電極室に酸性イオン水を、前記第２の電極室にアルカリ性イオン水を生成させることが可能であり、前記第１の電極室から吐出される水を取水可能とした電解水生成装置であって、前記制御手段は、電解槽の設置姿勢の検出結果と電解方向によって前記第１の電極室と前記第２の電極室とへの原水分配比率を変更する構成とするものである。
【００４０】
かかる電解水生成装置では、順電解を行う通常用途においては、第１の電極室にアルカリ性イオン水を生成させるようにしているため、第１の電極室への分配率と第２の電極室への分配率との比を１２：１程度に設定している。なお、主に利用される順電解時に合わせて、処理流量が相対的に多くなる第１の電極室の容積や流路などは、第２の電極室よりも大きく形成されている。
【００４１】
かかる構成で、電解槽を例えば水平設置した場合に酸性イオン水を取水しようとして逆電解すると、上述した様に、流入する原水量が極めて少ない（１／１３となっている）第２の電極室でアルカリ性イオン水を生成することになる。特に、このような少流量時においては水素ガスの排出が困難になりやすいということが経験的に分かっており、そのために電解効率が大きく低下してしまう。これは、処理する水量は少ないにも拘わらず電極への通電量は変わらず、しかも、第２の電極室の容積や流路は第１の電極室よりも小さいことから、第２の電極室の容積に対して発生する水素ガスが占める率が大きくなるためであると考えられる。このようなことから、所望する酸性イオン水の取水も叶わなくなるおそれがある。
【００４２】
そこで、電解槽の設置姿勢が立設状態でないことを検知した場合、電解方向が順電解かあるいは逆電解であるかによって、第１の電極室と第２の電極室とへの原水分配比率を変更するのである。
【００４３】
また、この場合、制御手段は、電解槽の設置姿勢が縦置きでない時は、電解方向が順電解の場合は前記第１の電極室と前記第２の電極室への原水配分比率を１０：１以上とし、電解方向が逆電解の場合は前記第１の電極室と前記第２の電極室への原水配分比率を４：１以下とすることが望ましい。ここで、第１の電極室と第２の電極室への原水配分比率を１０：１以上とするというのは、第２の電極室への原水配分を１とした場合に、第１の電極室への原水配分を１０以上にするということである。同様に、第１の電極室と第２の電極室への原水配分比率を４：１以下とするというのは、第２の電極室への原水配分を１とした場合に、第１の電極室への原水配分を４以下にするということである。
【００４４】
つまり、取水するのは、第１の電極室で生成されたイオン水であるため、順電解で第１の電極室からアルカリ性イオン水を得る場合は第１の電極室への原水流量を多くし、逆電解で第１の電極室から酸性イオン水を得る場合は、一方の第２の電極室で発生する水素ガスの悪影響が、第１の電極室での電解性能に及ぶことを軽減するために、第２の電極室への流量を相対的に増大させるように制御するのである。
【００４５】
このように、電気分解によりアルカリ性イオン水を生成する際に生じる水素ガスの悪影響が最も大きいとされる、電解方向を正逆切替可能とした電解水生成装置であっても、水素ガスの影響を可及的に軽減することが可能となる。
【００４６】
上述してきた例では、電解槽の姿勢を検出する姿勢検出手段を備えた電解水生成装置としたが、予め電解槽の設置姿勢が定められている場合は、姿勢検出手段を備えてなくともよいことは当然である。
【００４７】
すなわち、電極が配設され、流入した原水を電気分解してアルカリ性イオン水もしくは酸性イオン水を生成する第１の電極室と第２の電極室とが、立設状態を除く設置姿勢で対向配置された電解槽と、前記第１の電極室と前記第２の電極室とへの原水の流入量を、所定の比率で分配する流量調整弁と、前記流量調整弁の動作制御を行う制御手段と、を備え、電解により前記第１の電極室にアルカリ性イオン水を、前記第２の電極室に酸性イオン水を生成させ、逆電解により前記第１の電極室に酸性イオン水を、前記第２の電極室にアルカリ性イオン水を生成させることを可能とするとともに、前記第１の電極室から吐出される水を取水可能とした電解水生成装置であって、前記制御手段は、電解方向によって前記第１の電極室と前記第２の電極室とへの原水分配比率を変更する構成とすることができる。
【００４８】
また、電解槽の設置姿勢として、立設状態を除く設置姿勢を、第１の電極室と第２の電極室とが水平状態で対向配置されたものに限定した場合でも、同様に、制御手段は、電解方向によって前記第１の電極室と前記第２の電極室とへの原水分配比率を変更するように流量調整弁を制御するようにしている。
【００４９】
すなわち、電極が配設され、流入した原水を電気分解してアルカリ性イオン水もしくは酸性イオン水を生成する第１の電極室と第２の電極室とが水平状態で対向配置された電解槽と、前記第１の電極室と前記第２の電極室とへの原水の流入量を、所定の比率で分配する流量調整弁と、前記流量調整弁の動作制御を行う制御手段と、を備え、電解により前記第１の電極室にアルカリ性イオン水を、前記第２の電極室に酸性イオン水を生成させ、逆電解により前記第１の電極室に酸性イオン水を、前記第２の電極室にアルカリ性イオン水を生成させることを可能とするとともに、前記第１の電極室から吐出される水を取水可能としたものであって、前記制御手段は、電解方向によって前記第１の電極室と前記第２の電極室とへの原水分配比率を変更する電解水生成装置とするのである。
【００５０】
いずれの場合でも、前述した例同様、制御手段は、電解方向が順電解の場合は前記第１の電極室と前記第２の電極室への原水配分比率を１０：１以上とし、電解方向が逆電解の場合は前記第１の電極室と前記第２の電極室への原水配分比率を４：１以下となるように流量調整弁を制御することが好ましい。さらに言えば、電解槽が水平状態に設置されるものでは、例えば横置きなどよりも、さらに第１の電極室と第２の電極室への原水配分比率とが接近するようにすることになる。
【００５１】
以上、説明してきた実施形態によれば、設置される電解槽の姿勢に適した電気分解性能を発揮でき、拘わらず、安定した電解能力を発揮できるため、電解槽をどのようにしても設置しても、所望するｐＨのイオン水を取水することが可能となる。
【００５２】
以下、図面を参照しながら、本実施形態に係る電解水生成装置について、より具体的に説明する。
【００５３】
図１は本実施形態に係る電解水生成装置の全体構成を示す説明図、図２は同電解水生成装置の制御部を示すブロック図、図３〜図５は同電解水生成装置の設置例を示す説明図、図６は整水器本体の説明図である。
【００５４】
図１に示すように、本実施形態に係る電解水生成装置は、先端が図示しない上水水栓に接続する上水供給管１０からバルブ１１を介して分岐した原水給水路１２に接続した整水器本体２と、先端にそれぞれ吐水口２１ａ，２２ａを有する取水管２１及び排水管２２とを備えたイオン水水栓３と、前記整水器本体２に内蔵された電解槽４に前記原水給水路１２から給水制御用電磁弁８を介して供給される原水を浄化する浄水カートリッジ１４と、この浄水カートリッジ１４の下流に配設し、前記電解槽４内に形成された第１の電極室４１と第２の電極室４２への給水量を所定の比率で分配する流量調整弁５と、この流量調整弁５から伸延して前記第２の電極室４２に連通する第２の給水管６２の中途に設けたカルシウム添加筒１５とを備える構成となっている。
【００５５】
なお、図１中、１２１は原水給水路１２の一部をなし、終端が給水制御用電磁弁８に連通連結した上流側給水管、１２２は同じく原水給水路１２の一部をなし、給水制御要電磁弁８と浄水カートリッジ１４とを連通連結する下流側給水管である。また、６１は前記流量調整弁５から伸延して前記第１の電極室４１に連通する第１の給水管、４３は第１の電極室４１に連通して前記取水管２１と連通連結する第１導水管、４４は第２の電極室４２に連通して前記排水管２２に排水制御用電磁弁９を介して連通連結する第２導水管、１８は止水栓である。
【００５６】
また、図１における１７は、浄水カートリッジ１４とカルシウム添加筒１５との間を連通する連通路１６に設けられた流量センサであり、本実施形態では、この流量センサ１７と流量調整弁５とを、浄水カートリッジ１４及びカルシウム添加筒１５とともに、図３〜図５に示した機能ケース２０内に収納している。
【００５７】
整水器本体２は、図３及び図６に示すように、台所などのシンク１９の下方に形成されるシンク下空間Ｑ内などに配置するのに適するように、扁平な略矩形箱状に形成されており、シンク下空間Ｑ内に想定される設置スペースに応じて、図示するような水平置き、あるいは図４に示す横置き、図５に示すような縦置きすることが可能となっている。
【００５８】
また、整水器本体２は、図１及び図６に示すように、第１ケース２１と第２ケース２２とを付き合わせて構成しており、電解槽４、制御回路６（制御手段）、姿勢検出センサ７（姿勢検出手段）、そして前記給水制御用電磁弁８及び排水制御用電磁弁９を内蔵している。なお、図６において、２３は原水給水路１２との接続口部、２４は浄水カートリッジ１４側へ送水する送水口部、２５は第１の給水管６１との接続口部、２６は第２の給水管６２との接続口部である。
【００５９】
電解槽４は、図２に示すように、第１電極４１ａが配設された第１の電極室４１と、第２電極４２ａが配設された第２の電極室４２とが対向配置されている。図３のように、整水器本体２が水平置きされる場合は、第１の電極室４１と第２の電極室４２とは水平状態で対向配置されることになる。なお、第１の電極室４１及び第２の電極室４２は、実際には複数の室が連通して形成されており、各室間はイオン交換膜４５で区画されている（図１参照）。
【００６０】
第１の電極室４１と第２の電極室４２への流入水量の比は、前記流量調整弁５により規定され、飲用に適するアルカリ性イオン水を取水する通常使用の場合は、第１の電極室４１と第２の電極室４２への原水配分比率が１０：１以上となるように分配される。本実施形態では、第１の電極室４１と第２の電極室４２への通常時の原水配分比率を１２：１としている。すなわち、浄水カートリッジ１４で浄化された浄水は、１２：１の割合で第１の電極室４１と第２の電極室４２に流入する。
【００６１】
また、飲用に適するアルカリ性イオン水を取水する通常使用の場合、制御回路６のＣＰＵ６１は、通電回路６６を制御して、第１電極４１ａが陰極に、第２電極４２ａが陽極となるように通電して順電解を行っている。したがって、その場合、第１の電極室４１にはアルカリ性イオン水が、第２の電極室４２には酸性イオン水が生成されることになる。
【００６２】
一方、洗顔、麺ゆで、茶渋とりなどに用いる酸性イオン水を取水する場合、ＣＰＵ６１は、通電回路６６を制御して、第１電極４１ａが陽極に、第２電極４２ａが陰極となるように通電して逆電解を行い、第１の電極室４１に酸性イオン水を、第２の電極室４２にアルカリ性イオン水を生成させる。
【００６３】
制御回路６は、図２に示すように、基板６ａ上にＣＰＵ６１、ＲＯＭ６２、ＲＡＭ６３を設けたＩＣからなり、ＣＰＵ６１には、入力側インターフェイス６４を介してイオン水水栓３に設けた取水用の操作スイッチ３１と、電解槽４に取り付けた姿勢センサ７とに接続する一方、出力側インターフェイス６５を介して、通電回路６６、流量調整弁５、給水用電磁弁８、排水用電磁弁９に接続している。なお、本実施形態では、電解槽４の設置姿勢に応じた電解電流値や第１の電極室４１と第２の電極室４２とへの原水配分比率などがテーブル化されて前記ＲＯＭ６２内に記憶されている。
【００６４】
また、イオン水水栓３は、図３〜図５に示すように、シンク１９の奥側上面壁に水栓本体３０を立設し、この水栓本体３０の正面に操作パネル３２を設けるとともに、側部に前記操作スイッチ３１を設け、さらに、取水管２１と排水管２２とを、その各吐水口２１ａ，２２ａがシンク１９に向くように略Ｕ字状に取付けている。図３〜図５中、１２５は制御用に用いられる電気ケーブルである。
【００６５】
操作パネル３２には、取水するアルカリ性イオン水のアルカリ度合いに応じて３段階に区分された選択ボタン（レベル１〜レベル３）や、煮物、アク抜き、野菜ゆでなどに用いる強アルカリ性水を取水するための選択ボタン、洗顔、麺ゆで、茶渋とりなどに用いる酸性イオン水を取水するための選択ボタン、イオン水ではなく浄水を取水するための選択ボタン、さらには、どのような種類のイオン水が取水されているかを示す報知ランプ、その他、適正流量を示す流量ランプ、浄水カートリッジの寿命を報知するカートリッジランプなどが配設されている。
【００６６】
上記構成により、使用者が、例えばレベル２のアルカリ性イオン水を取水するときは、操作パネル３２の選択ボタンによりレベル２を押下して、イオン水水栓３に設けた操作スイッチ３１を押すと、制御回路６のＣＰＵ６１は、給水電磁弁８及び排水電磁弁９を開にするとともに、通電回路６６を制御して所定値の電流（例えば、１．０Ａ）を第１、第２電極４１ａ，４２ａに流す。
【００６７】
すると、原水は、図１に示すように、原水給水路１２→給水電磁弁８→浄水カートリッジ１４と流れ、浄化された水は流量調整弁５により１２：１となるように、第１の給水管６１と第２の給水管６２とに分流される。陽極となっている第２電極４２ａが配設された第２の電極室４２に連通する第２の給水管６２を流れる浄水にはカルシウムが添加されることになる。第２の電極室４２でイオン化されたカルシウムはイオン交換膜４５を通って第１の電極室４１に移動する。
【００６８】
このようにして、第１の電極室４１で生成されたアルカリ性イオン水には不足しがちとなるカルシウムを含むものとなり、第１導水管４３→取水管２１→吐水口２１ａと流れて取水される。一方、第２の電極室４２で生成された酸性イオン水は、第２導水管４４→排水用電磁弁９→排水管２２→吐水口２２ａと流れてシンク１９に排水されることになる。
【００６９】
なお、この電解水生成装置では、浄水を取水するための選択ボタンが押下された場合、ＣＰＵ６１は第１電極４１ａ及び第２電極４２ａへの通電を停止するとともに、排水用電磁弁９を閉として、取水管２１から浄水化された全ての水を取水できるようにしている。
【００７０】
上述してきた構成において、本実施形態に係る電解水生成装置では、電解槽４の設置姿勢に応じて、第１、第２電極４１ａ，４２ａへの通電量や、流量調整弁５による第１の電極室４１と第２の電極室４２への原水分配比率を変化可能としている。
【００７１】
電解槽４の設置姿勢については、上述したように姿勢センサ７を整水器本体２に設けている場合、制御回路６のＣＰＵ６１が、姿勢センサ７の検出結果に応じて、通電回路６６や流量調整弁５の制御を行うことができる。あるいは、電解槽４の設置姿勢が予め決まっている場合であれば、その設置姿勢に見合った第１の電極室４１と第２の電極室４２への原水分配比率としておけばよい。
【００７２】
以下、電解槽４の設置姿勢に応じて、制御回路６により通電や原水分配を制御する実施例について説明する。なお、電解槽４の設置姿勢について、本実施例では設置時に姿勢センサ７によってその都度自動検出するタイプのものとしているが、例えば、出荷時に、縦置き用、横置き用、水平置き用などと設置タイプに応じて種別スイッチを切換えておき、その種別スイッチによって電解槽の姿勢を検出するものであってもよい。
【００７３】
（第１実施例）
表１は、電解槽４を縦置き（図５参照）、横置き（図４参照）にした場合、水平置き（図３参照）にした場合における、順電解によって第１の電極室４１でレベル１〜レベル３の飲用に用いるアルカリ性イオン水を生成する場合と、アク抜きなどに用いる強アルカリ性イオン水を生成する場合、また、逆電解することによって、第１の電極室４１で酸性イオン水を生成する場合について、それぞれ好適と考えられる電解電流の値及び第１の電極室４１と第２の電極室４２との流量比率の一例を示したものである。なお、表１では、アルカリ１〜アルカリ３が飲用に用いるアルカリ性イオン水のレベル１〜レベル３に対応し、強アルカリがｐＨ１０以上の強アルカリ性イオン水に相当し、酸性が酸性イオン水に相当する。
【００７４】
【表１】
2009254997.tif 000003
この例では、電解槽４の設置姿勢に応じて第１の電極室４１と第２の電極室４２との流量比率を変化させるようにしている。
【００７５】
すなわち、縦置き、横置き、水平置きのいずれにおいても、電解電流値については、アルカリ１では０．５Ａであり、アルカリ２では１．０Ａであり、アルカリ３では１．５Ａであり、強アルカリ又は酸性の場合は２．０Ａとしているが、第１の電極室４１と第２の電極室４２との流量比率については、アルカリ１〜強アルカリの場合、縦置きでは１２：１としているものを、横置きでは１０：１に、水平置きでは８：１としている。
【００７６】
つまり、この場合、第１の電極室４１が陰極室となっており、電気分解時に水素ガスが発生する。電解槽４の姿勢によって、縦置きに比べて横置きや水平置きでは水素ガスの抜けが悪くなるため、電解効率が低下してしまう。そこで、１０：１や８：１というように、全流量のうち、陽極室への流量を増加させて陰極室における処理量を相対的に減じることで水素ガスの発生量を抑制し、所望するｐＨ値（アルカリレベル）が確保されたアルカリ性イオン水を取水可能としているのである。なお、表１に示した例では、第１の電極室４１と第２の電極室４２との流量比率について、水平置きで８：１としたが、好ましくは１０：１以上、すなわち、第２の電極室４２への原水配分を１とした場合に、第１の電極室４１への原水配分を１０以上とするとなお良い。
【００７７】
一方、酸性イオン水を取水する場合は、第１の電極室４１を陽極室、第２の電極室４２を陰極室として機能させ、逆電解することによって第１の電極室４１から酸性イオン水を取水することになる。
【００７８】
このとき、電解槽４が縦置きの場合は、第１の電極室４１（ここでは陽極室となっている）と第２の電極室４２（ここでは陰極室となっている）との流量比率が１２：１のままでも特に問題はないものの、横置き、水平置きにした場合、第２の電極室４２で発生する水素ガスの抜けが悪くなってしまう。しかも、電解処理する場合の水量が少量の場合であって、特に、縦置きよりも横置きの場合、横置きよりも水平置きの場合に、発生する水素ガスの影響が電解効率に大きく悪影響を及ぼすことが経験的に分かっているため、横置きの場合は、酸性イオン水が生成される第１の電極室４１と、アルカリ性イオン水が生成される第２の電極室４２との流量比率を６：１とし、水平置きの場合は４：１としている。なお、表１に示した例では、第１の電極室４１と第２の電極室４２との流量比率について、横置きで６：１としたが、好ましくは４：１以下、すなわち、第２の電極室４２への原水配分を１とした場合に、第１の電極室４１への原水配分は４以下とするとなお良い。
【００７９】
上述した流量比率となるように、制御回路６によって流量調整弁５を制御すれば、縦置き以外の場合、水素ガスが発生する陰極室となる第２の電極室４２への処理流量の振り分けが多くなるため、第２の電極室４２内に水素ガスが滞留してしまうことを可及的に抑制することができる。また、上記流量比率として相対的に処理流量が減った陽極室となる第１の電極室４１では、一定の電解電流値（ここでは２．０Ａ）に対し、処理流量が減った分だけ第１電極４１ａとの接触面積も減ることになり、流入量に見合った電解効率が維持され、所望するｐＨ値の酸性イオン水を取水することが可能となる。
【００８０】
（第２実施例）
また、電解槽４の設置姿勢に応じて、第１の電極室４１と第２の電極室４２との流量比率を変化させるのみならず、表２に示すように、電解電流値についても変化させる場合について説明する。
【００８１】
【表２】
2009254997.tif 000004
この表２に示した第２実施例では、第１実施例で説明したように、第１の電極室４１と第２の電極室４２との流量比率について、順電解によりアルカリ１〜強アルカリを取水する場合、縦置きでは１２：１、横置きでは１０：１、水平置きでは８：１とし、それに加え、アルカリ１における縦置きの場合の電解電流値については０．５Ａとしていたものを、横置きでは０．６Ａに、水平置きでは０．８Ａとし、アルカリ２では、縦置きの場合に１．０Ａとしていたものを、横置きでは１．１Ａに、水平置きでは１．３Ａとし、アルカリ３では、縦置きの場合に１．５Ａとしていたものを、横置きでは１．７Ａに、水平置きでは１．８Ａとし、強アルカリでは、縦置きの場合に２．０Ａとしていたものを、横置きでは２．２Ａに、水平置きでは２．５Ａとしている。
【００８２】
すなわち、先の第１実施例で説明したように、縦置きに比べて横置きや水平置きでは水素ガスの抜けが悪くなって電解効率が低下してしまうため、全流量のうち、陽極室となる第２の電極室４２への流量を増加させて陰極室となる第１の電極室４１における処理量を相対的に減じることで水素ガスの発生量を抑制するとともに、より確実に電解効率の低下を防止するために、横置き、水平置きの場合は電解電流値をわずかずつ上げ、アルカリ性イオン水のｐＨ値（アルカリレベル）を所望するレベルで取水可能としている。なお、表２に示した例においても、順電解の場合の第１の電極室４１と第２の電極室４２との流量比率を、水平置きで８：１としたが、好ましくは１０：１以上にするとなお良い。
【００８３】
また、本実施例では、逆電解して第１の電極室４１から酸性イオン水を取水する場合、縦置きの場合は第１の電極室４１と第２の電極室４２との流量比率を４：１として、酸性イオン水が生成される第１の電極室４１の流量を相対的に減じ、第１の電極室における電解効率を向上させながら、水素ガスが発生する陰極室となる第２の電極室４２への処理流量の振り分けを多くして、第２の電極室４２内に水素ガスが滞留してしまうことを可及的に抑制している。
【００８４】
さらに、縦置き以外の場合、横置きでは第１の電極室４１と第２の電極室４２との流量比率を３：１、水平置きの場合は２：１として、水素ガスが発生する陰極室となる第２の電極室４２への処理流量の振り分けをより多くして、第２の電極室４２内に水素ガスが滞留してしまうことをさらに抑制している。
【００８５】
しかも、かかる流量比率とすることにより、相対的に処理流量が減った陽極室（第１の電極室４１）では、例えば第１実施例のように電解電流の値が２．０Ａのままでは、所望する酸性度合いよりも高い酸性イオン水となるおそれがあるため、処理流量が減った分に応じて、電解電流値を、縦置きの場合は１．８Ａとし、横置きの場合は１．６Ａ、水平置きの場合は１．４Ａとして、所望する酸性度合いの酸性イオン水を取水可能としている。
【００８６】
ところで、上述してきた実施形態では、電解水生成装置は電解槽４の姿勢を検出する姿勢検出センサ７を備えたものとして説明したが、予め整水器本体２の設置姿勢が横置き又は水平置きに決まっており、必然的に電解槽４の設置姿勢も定められる場合は、姿勢検出センサ７を廃止した電解水生成装置とすることができる。
【００８７】
すなわち、第１電極４１ａが配設され、流入した原水を電気分解してアルカリ性イオン水もしくは酸性イオン水を生成する第１の電極室４１と、同様に第２の電極４２ａが配設され、流入した原水を電気分解してアルカリ性イオン水もしくは酸性イオン水を生成する第２の電極室４２とが、立設状態を除く設置姿勢で対向配置された電解槽４と、前記第１の電極室４１と前記第２の電極室４２とへの原水の流入量を、所定の比率で分配する流量調整弁５と、前記流量調整弁５の動作制御を行う制御回路６とを備え、順電解により前記第１の電極室４１にアルカリ性イオン水を、前記第２の電極室４２に酸性イオン水を生成させ、逆電解により前記第１の電極室４１に酸性イオン水を、前記第２の電極室４２にアルカリ性イオン水を生成させることを可能とするとともに、前記第１の電極室４１から吐出される水を取水可能とし、しかも、前記制御回路６は、電解方向によって前記第１の電極室４１と前記第２の電極室４２とへの原水分配比率を変更する構成の電解水生成装置することができる。
【００８８】
そして、このときの原水分配比率は、例えば、表２に示した値とすることができる。つまり、前述したように、電解方向が順電解の場合は第１の電極室４１と第２の電極室４２への原水配分比率を１０：１以上とし、電解方向が逆電解の場合は第１の電極室４１と第２の電極室４２への原水配分比率を４：１以下とするとよい。
【００８９】
（他の実施形態）
上述してきた実施形態に係る電解水生成装置は、第１の電極４１ａと第２の電極４２ａの通電制御として、電解方向を入れ替えて、アルカリ性イオン水、酸性イオン水のいずれかを第１の電極室４１から選択的に取水可能としたものとしたが、他の実施形態として、第１の電極４１ａと第２の電極４２ａの極性が固定された電解水生成装置について説明する。
【００９０】
この場合、第１の電極４１ａが陰極に、第２の電極４２ａが陽極に固定されており、図１における第１の電極室４１が陰極室に、第２の電極室４２が陽極室となっている。したがって、酸性イオン水を取水する場合は、排水管２２が第２の取水管として使用され、そのときには取水管２１が排水管として機能することになる。
【００９１】
（第３実施例）
他の実施形態における一具体例となる第３実施例では、上述したように、陰極となる電極が配設され、流入した原水を電気分解してアルカリ性イオン水を生成する陰極室（図１における第１の電極室４１）と、陽極となる電極が配設され、流入した原水を電気分解して酸性イオン水を生成する陽極室（図１における第２の電極室４２）とが対向配置された電解槽４と、前記電極への通電量を制御する制御回路６と、前記電解槽４の設置姿勢を検出する姿勢検出センサ７とを備え、前記制御回路６は、前記姿勢検出センサ７の検出結果に応じて、前記電極への通電量を変化させる制御を実行する電解水生成装置としている。
【００９２】
そして、表３に示すように、縦置き、横置き、水平置きのいずれにおいても、陰極室（第１の電極室４１）と陽極室（第２の電極室４２）との流量比率については、アルカリ１〜アルカリ３では１２：１、強アルカリ又は酸性では４：１としているが、電解電流値については、アルカリ１では縦置きの場合は０．５Ａであるのに対し、横置きの場合は０．６Ａ、水平置きの場合は０．８Ａ、アルカリ２では、縦置きの場合は１．０Ａであるのに対し、横置きの場合は１．１Ａ、水平置きの場合は１．３Ａ、アルカリ３では、縦置きの場合は１．５Ａであるのに対し、横置きの場合は１．７Ａ、水平置きの場合は１．８Ａとしている。そして、強アルカリ又は酸性では、縦置きの場合は２．０Ａであるのに対し、横置きの場合は２．２Ａ、水平置きの場合は２．５Ａとしている。
【００９３】
【表３】
2009254997.tif 000005
すなわち、電解槽４を縦置きにした場合に比べて横置きや水平置きにした場合は、水素ガスの抜けが悪くなって電解効率が低下してしまうため、横置き、水平置きの場合は電解電流値をわずかずつ上げ、アルカリ性イオン水のｐＨ値（アルカリレベル）を所望するレベルで取水可能としている。さらに、本実施例では、強アルカリ性イオン水又は酸性イオン水を取水する場合については、陰極室（第１の電極室４１）と陽極室（第２の電極室４２）との流量比率を４：１として、全流量のうち、陽極室となる第２の電極室４２への流量を増加させて陰極室となる第１の電極室４１における処理量を相対的に減じることで水素ガスの発生量を抑制し、水素ガスによる悪影響を可及的に排除するようにしている。
【００９４】
（第４実施例）
次に、第３実施例同様に、第１の電極室４１が陰極室に、第２の電極室４２が陽極室となる電解水生成装置において、陰極室（第１の電極室４１）と陽極室（第２の電極室４２）とへの原水の流入量を、所定の比率で分配する流量調整弁５（図１参照）をさらに備え、制御回路６が、姿勢検出センサ７の検出結果に応じて流量調整弁５を制御し、陰極室（第１の電極室４１）と陽極室（第２の電極室４２）とへの原水分配比率を変化させるようにした例について説明する。
【００９５】
表４に示すように、本実施例では、電解槽４を縦置き、横置き、水平置きのいずれの場合においても、電解電流値については、アルカリ１では０．５Ａであり、アルカリ２では１．０Ａであり、アルカリ３では１．５Ａであり、強アルカリ又は酸性の場合は２．０Ａとしているが、第１の電極室４１と第２の電極室４２との流量比率については、アルカリ１〜アルカリ３の場合、縦置きでは１２：１としているのに対し、横置きでは１０：１に、水平置きでは８：１としている。
【００９６】
【表４】
2009254997.tif 000006
つまり、陰極室となる第１の電極室４１では、電気分解時に水素ガスが発生し、しかも、電解槽４の設置姿勢が縦置きに比べて横置きや水平置きでは水素ガスの抜けが悪くなるため電解効率が低下してしまう。そこで、横置きでは１０：１、水平置きでは８：１というように、全流量のうち、陽極室への流量を増加させて陰極室における処理量を相対的に減じることで水素ガスの発生量を抑制し、所望するｐＨ値（アルカリレベル）が確保されたアルカリ性イオン水を取水可能としている。
【００９７】
また、第３実施例同様に、強アルカリ性イオン水又は酸性イオン水を取水する場合は、電解槽４を縦置きにした場合は陰極室（第１の電極室４１）と陽極室（第２の電極室４２）との流量比率を４：１として、全流量のうち、陽極室となる第２の電極室４２への流量をアルカリ１〜アルカリ３を取水する場合よりもより増加させ、陰極室となる第１の電極室４１における処理量を相対的に大幅に減じることで水素ガスの発生量を抑制し、水素ガスによる悪影響を可及的に排除している。さらに、前述したように、縦置きよりも横置きの場合、横置きよりも水平置きの場合に、発生する水素ガスの影響が電解効率に大きく悪影響を及ぼすことが経験的に分かっているため、電解槽４を横置きにした場合は流量比率を３：１、水平置きにした場合は２：１というように、陰極室における処理量をさらに減じている。
【００９８】
このように、電解槽４の設置姿勢に応じて、陰極室（第１の電極室４１）と陽極室（第２の電極室４２）との流量比率を変化させることによって、陰極室から発生する水素ガスによる悪影響を未然に回避することが可能となる。
【００９９】
表５に示したものは、第４実施例の変容例であり、この例では、強アルカリ性イオン水又は酸性イオン水を取水する場合についても、陰極室（第１の電極室４１）と陽極室（第２の電極室４２）との流量比率は、アルカリ１〜アルカリ３と同様に、縦置きの場合に１２：１としているのに対し、横置きでは１０：１、水平置きでは８：１としている。しかし、その分、第１の電極４１ａ及び第２の電極４２ａへの通電量を変化させ、電解電流値を、縦置き、横置き、水平置きのいずれの場合でも２．５Ａとしている。この例においても、陰極室から発生する水素ガスによる悪影響を未然に回避しつつ、所望するｐＨの強アルカリ性イオン水や酸性水を取水することができる。
【０１００】
【表５】
2009254997.tif 000007
【０１０１】
（第５実施例）
また、制御回路６が姿勢検出センサ７の検出結果に応じて、電極（第１の電極４１ａ、第２の電極４２ａ）への通電量の制御と、陰極室（第１の電極室４１）と陽極室（第２の電極室４２）とへの原水分配比率を変化させるための流量調整弁５の制御とを実行するようにすることもできる。
【０１０２】
すなわち、表６に示すように、第１の電極室４１と第２の電極室４２との流量比率については、アルカリ１〜アルカリ３の場合、縦置きでは１２：１としているのに対し、横置きでは１０：１に、水平置きでは８：１とするとともに、強アルカリ性イオン水又は酸性イオン水を取水する場合は、電解槽４を縦置きにした場合は第１の電極室４１と第２の電極室４２との流量比率を４：１としているのに対し、横置きにした場合は流量比率を３：１、水平置きにした場合は２：１としている。これは、第４実施例（表４）と同様の制御である。さらに本実施例では、電解電流値については、縦置きの場合は２．０Ａであるのに対し、横置きの場合は２．２Ａ、水平置きの場合は２．５Ａとしている。これは第３実施例（表３）と同様な制御である。
【０１０３】
【表６】
2009254997.tif 000008
このように、電解槽４の設置姿勢に応じて、流量比率と電解電流値を変化させることにより、所望するアルカリ性イオン水、酸性水を取水することができる。
【０１０４】
（第６実施例）
また、強アルカリ性イオン水又は酸性イオン水を取水する場合のみ、電解電流値を変化させる制御を行うこともできる。
【０１０５】
すなわち、表７に示すように、電解槽４の設置姿勢が異なっても、アルカリ１〜アルカリ３、強アルカリ、酸性については、第１の電極室４１と第２の電極室４２との流量比率は１２：１と一定であり、電解電流値についても、アルカリ１では０．５Ａ、アルカリ２では１．０Ａ、アルカリ３では１．５Ａで固定している。
【０１０６】
しかし、強アルカリ又は酸性の場合は、電解電流値を、電解槽４が縦置きの場合は２．０Ａとしているのに対し、横置きでは２．２Ａ、水平置きでは２．５Ａとしている。
【０１０７】
【表７】
2009254997.tif 000009
これは、電解槽４が縦置きの場合に比べ、横置き、水平置きの場合は発生する水素ガスの抜けが悪くなり、特に、強い電解電流値で電気分解を行う場合には電解効率の低下が著しくなると考えられるためである。
【０１０８】
また、第６実施例の変形例として、表８に示すように、強アルカリ性イオン水又は酸性イオン水を取水する場合に限り流量比率を変更するとともに、電解槽４の設置姿勢に応じて電解電流値を変化させる制御を行うこともできる。
【０１０９】
【表８】
2009254997.tif 000010
すなわち、アルカリ１〜アルカリ３については、電解槽４の設置姿勢が異なっても、第１の電極室４１と第２の電極室４２との流量比率は１２：１と一定であり、電解電流値についても、アルカリ１では０．５Ａ、アルカリ２では１．０Ａ、アルカリ３では１．５Ａで固定している。しかし、強アルカリ又は酸性の場合は、陰極室（第１の電極室４１）と陽極室（第２の電極室４２）との流量比率を４：１に変更するとともに、電解電流値について、電解槽４が縦置きの場合は２．０Ａとしているのに対し、横置きでは２．２Ａ、水平置きでは２．５Ａとしている。
【０１１０】
こうして、強アルカリ性イオン水又は酸性イオン水を取水する場合は、全流量のうち、陽極室となる第２の電極室４２への流量を増加させて陰極室（第１の電極室４１）における処理量を相対的に減じることで水素ガスの発生量を抑制し、水素ガスによる悪影響を可及的に排除し、さらに、強い電解電流値で電気分解を行う場合における電解効率の低下に対応して所望する強アルカリ性イオン水又は酸性イオン水を取水可能としている。
【０１１１】
さらなる変形例として、表９に示すように、強アルカリ性イオン水又は酸性イオン水を取水する場合に限り、電解槽４の設置姿勢に応じて流量比率についても、電解電流値についても変化させるように制御することができる。
【０１１２】
【表９】
2009254997.tif 000011
すなわち、ルカリ１〜アルカリ３については、電解槽４の設置姿勢が異なっても、第１の電極室４１と第２の電極室４２との流量比率は１２：１と一定であり、電解電流値についても、アルカリ１では０．５Ａ、アルカリ２では１．０Ａ、アルカリ３では１．５Ａで固定している。しかし、強アルカリ又は酸性の場合は、陰極室（第１の電極室４１）と陽極室（第２の電極室４２）との流量比率は、電解槽４が縦置きの場合は４：１としているのに対し、横置きでは３：１、水平置きでは２：１と変更するとともに、電解電流値についても、電解槽４が縦置きの場合は２．０Ａとしているのに対し、横置きでは２．２Ａ、水平置きでは２．５Ａと変更するものである。
【０１１３】
なお、この他の実施形態で説明した電解水生成装置においても、先の実施形態で説明したように、整水器本体２の設置姿勢が予め決まっている場合は、姿勢検出センサ７を廃止することができる。その場合、制御回路６は、電解槽４の設置姿勢に応じて定められた電解電流値や流量比率となるように、通電回路６６、流量制御弁５を制御することとなる。
【０１１４】
以上、各実施例からなる実施形態を通して本発明を説明してきたが、実施形態で説明した電解水生成装置の具体的な構成についても何ら限定されるものではない。例えば、整水器本体２の構成やイオン水水栓３の構成、あるいは浄水カートリッジ１４、流量センサ１７、流量調整弁５、カルシウム添加筒１５、水制御用電磁弁８及び排水制御用電磁弁９などのレイアウトは適宜変更して構わない。また、各実施例において表１〜表９に示した電解電流値や流量比率についても何ら限定されるものではなく、適宜変更することができる。要は、電解槽４の設置姿勢に応じて、陰極室で発生する水素ガスによる悪影響を、流量比率及び／又は電解電流値を制御することによって排除できるものであればよい。さらに、整水器本体２はシンク下空間Ｑ内に設置されることを想定して説明してきたが、整水器本体２の設置場所は何ら限定されるものではなく、整水器本体２内に浄水カートリッジを備え、この整水器本体２に直接操作パネルや取水管が取り付けられる、所謂据え置き式タイプであってももちろん構わない。また、本発明に係る電解水生成装置は、飲用を目的としないものも含まれる。
【０１１５】
上述してきた実施形態から、以下の電解水生成装置が実現できる。
【０１１６】
陰極となる電極（例えば、第１の電極４１ａ）が配設され、流入した原水を電気分解してアルカリ性イオン水を生成する陰極室（例えば、第１の電極室４１）と、陽極となる電極（例えば、第２の電極４２ａ）が配設され、流入した原水を電気分解して酸性イオン水を生成する陽極室（例えば、第２の電極４２）とが対向配置された電解槽４と、前記電極への通電量を制御する制御手段（例えば、制御回路６）と、前記電解槽４の設置姿勢を検出する姿勢検出手段（姿勢検出センサ７）とを備え、前記制御手段は、前記姿勢検出手段の検出結果に応じて、前記電極への通電量を変化させる制御を実行する電解水生成装置。
【０１１７】
陰極となる電極（例えば、第１の電極４１ａ）が配設され、流入した原水を電気分解してアルカリ性イオン水を生成する陰極室（例えば、第１の電極室４１）と、陽極となる電極（例えば、第２の電極４２ａ）が配設され、流入した原水を電気分解して酸性イオン水を生成する陽極室（例えば、第２の電極室４２）とが対向配置された電解槽４と、前記陽極室と前記陰極室とへの原水の流入量を、所定の比率で分配する流量調整弁５と、前記流量調整弁５の動作制御を行う制御手段（例えば、制御回路６）と、前記電解槽４の設置姿勢を検出する姿勢検出手段（例えば、姿勢検出センサ７）とを備え、前記制御手段は、前記姿勢検出手段の検出結果に応じて前記流量調整弁５を制御し、前記陽極室と前記陰極室とへの原水分配比率を変化させる電解水生成装置。
【０１１８】
陰極となる電極（例えば、第１の電極４１ａ）が配設され、流入した原水を電気分解してアルカリ性イオン水を生成する陰極室（例えば、第１の電極室４１）と、陽極となる電極（例えば、第２の電極４２）が配設され、流入した原水を電気分解して酸性イオン水を生成する陽極室（例えば、第２の電極室４２）とが対向配置された電解槽４と、前記陽極室と前記陰極室とへの原水の流入量を、所定の比率で分配する流量調整弁５と、前記流量調整弁５の動作制御と、前記電極への通電量とを制御する制御手段（例えば、制御回路６）と、前記電解槽の設置姿勢を検出する姿勢検出手段とを備え、前記制御手段は、前記姿勢検出手段の検出結果に応じて、前記電極への通電量の制御と、前記陽極室と前記陰極室とへの原水分配比率を変化させるための前記流量調整弁の制御とを実行する電解水生成装置。
【０１１９】
電極が配設され、流入した原水を電気分解してアルカリ性イオン水もしくは酸性イオン水を生成する第１の電極室４１と第２の電極室４２とが対向配置された電解槽４と、前記第１の電極室４１と前記第２の電極室４２とへの原水の流入量を、所定の比率で分配する流量調整弁５と、前記流量調整弁５の動作制御を行う制御手段（例えば、制御回路６）と、前記電解槽４の設置姿勢を検出する姿勢検出手段（例えば、姿勢検出センサ７）とを備え、順電解により前記第１の電極室４１にアルカリ性イオン水を、前記第２の電極室４２に酸性イオン水を生成させる一方、逆電解により前記第１の電極室４１に酸性イオン水を、前記第２の電極室４２にアルカリ性イオン水を生成させることが可能であり、前記第１の電極室４１から吐出される水を取水可能とし、前記制御手段は、電解槽４の設置姿勢の検出結果と電解方向によって前記第１の電極室４１と前記第２の電極室４２とへの原水分配比率を変更する電解水生成装置。
【０１２０】
上記電解水生成装置において、前記制御手段（例えば、制御回路６）は、前記電解槽４の設置姿勢が縦置きでない時は、電解方向が順電解の場合は前記第１の電極室４１と前記第２の電極室４２への原水配分比率を１０：１以上とし、電解方向が逆電解の場合は前記第１の電極室４１と前記第２の電極室４２への原水配分比率を４：１以下とする電解水生成装置。
【０１２１】
電極が配設され、流入した原水を電気分解してアルカリ性イオン水もしくは酸性イオン水を生成する第１の電極室４１と第２の電極室４２とが、立設状態を除く設置姿勢で対向配置された電解槽４と、前記第１の電極室４１と前記第２の電極室４２とへの原水の流入量を、所定の比率で分配する流量調整弁５と、前記流量調整弁５の動作制御を行う制御手段（例えば、制御回路６）とを備え、電解により前記第１の電極室４１にアルカリ性イオン水を、前記第２の電極室４２に酸性イオン水を生成させ、逆電解により前記第１の電極室４１に酸性イオン水を、前記第２の電極室４２にアルカリ性イオン水を生成させることを可能とするとともに、前記第１の電極室４１から吐出される水を取水可能とし、前記制御手段は、電解方向によって前記第１の電極室４１と前記第２の電極室４２とへの原水分配比率を変更する電解水生成装置。
【０１２２】
電極が配設され、流入した原水を電気分解してアルカリ性イオン水もしくは酸性イオン水を生成する第１の電極室４１と第２の電極室４２とが水平状態で対向配置された電解槽４と、前記第１の電極室４１と前記第２の電極室４２とへの原水の流入量を、所定の比率で分配する流量調整弁５と、前記流量調整弁５の動作制御を行う制御手段（例えば、制御回路６）とを備え、電解により前記第１の電極室４１にアルカリ性イオン水を、前記第２の電極室４２に酸性イオン水を生成させ、逆電解により前記第１の電極室４１に酸性イオン水を、前記第２の電極室４２にアルカリ性イオン水を生成させることを可能とするとともに、前記第１の電極室４１から吐出される水を取水可能とし、前記制御手段は、電解方向によって前記第１の電極室４１と前記第２の電極室４２とへの原水分配比率を変更する電解水生成装置。
【０１２３】
上記電解水生成装置において、前記制御手段（例えば、制御回路６）は、電解方向が順電解の場合、前記第１の電極室４１と前記第２の電極室４２への原水配分比率を１０：１以上とし、電解方向が逆電解の場合は前記第１の電極室４１と前記第２の電極室４２への原水配分比率を４：１以下とする電解水生成装置。
【図面の簡単な説明】
【０１２４】
【図１】本実施形態に係る電解水生成装置の全体構成を示す説明図である。
【図２】同電解水生成装置の制御部を示すブロック図である。
【図３】同電解水生成装置の設置例を示す説明図である。
【図４】同電解水生成装置の設置例を示す説明図である。
【図５】同電解水生成装置の設置例を示す説明図である。
【図６】整水器本体の説明図である。
【符号の説明】
【０１２５】
４  電解槽
５  流量調整弁
６  制御回路
７  姿勢検出センサ
４１  第１の電極室
４２  第２の電極室
【図１】
2009254997.tif 000012
【図２】
2009254997.tif 000013
【図３】
2009254997.tif 000014
【図４】
2009254997.tif 000015
【図５】
2009254997.tif 000016
【図６】
2009254997.tif 000017